(57)【要約】【課題】光ディスクのＰＣＡ領域の無駄な消費を無くすとともに、パワーキャリブレーションの実施結果を格納するためのＥＥＰＲＯＭやフラッシュメモリ等のメモリ媒体を不要とする。【解決手段】光ピックアップ３により光ディスク１に対してデータの記録及び再生を行う光ディスク装置であって、記録レーザパワーの最適化を行うパワーキャリブレーションの実施結果を、その実施された光ディスク１のリードアウト領域に記録し、その後の記録に際しては、前記リードアウト領域に記録されているパワーキャリブレーションの実施結果を読み出して装置内のＳＲＡＭ６に一旦格納し、その格納された実施結果に基づいて記録レーザパワーを決定する。【選択図】  図１
2004310855.tif 000002
【特許請求の範囲】
【請求項１】
光ピックアップにより光ディスクに対してデータの記録及び再生を行うとともに、記録レーザパワーの最適化を行うパワーキャリブレーションの実施結果をメモリ媒体に格納するように構成された光ディスク装置において、
前記メモリ媒体を省略するとともに、記録レーザパワーの最適化を行うパワーキャリブレーションの実施結果を、その実施された光ディスクのリードアウト領域のコピーライト情報書き込み領域（ＣＰＲ−ＭＡＩ）に記録し、その後の記録に際しては、前記コピーライト情報書き込み領域に記録されているパワーキャリブレーションの実施結果を読み出して装置内のバッファメモリに一旦格納し、その格納された実施結果に基づいて記録レーザパワーを決定することを特徴とする光ディスク装置。
【請求項２】
光ピックアップにより光ディスクに対してデータの記録及び再生を行うとともに、記録レーザパワーの最適化を行うパワーキャリブレーションの実施結果をメモリ媒体に格納するように構成された光ディスク装置において、
前記メモリ媒体を省略するとともに、記録レーザパワーの最適化を行うパワーキャリブレーションの実施結果を、その実施された光ディスクのリードアウト領域に記録することを特徴とする光ディスク装置。
【請求項３】
前記光ディスクがＣＤ系ディスクである場合には、前記パワーキャリブレーションの実施結果を前記リードアウト領域のサブコードに記録することを特徴とする請求項２に記載の光ディスク装置。
【請求項４】
前記光ディスクがＤＶＤ系ディスクである場合には、前記パワーキャリブレーションの実施結果を前記リードアウト領域のコピーライト情報書き込み領域（ＣＰＲ−ＭＡＩ）に記録することを特徴とする請求項２に記載の光ディスク装置。
【請求項５】
記録時には、前記リードアウト領域に記録されているパワーキャリブレーションの実施結果を読み出して装置内のバッファメモリに一旦格納し、その格納された実施結果に基づいて記録レーザパワーを決定することを特徴とする請求項２または請求項３に記載の光ディスク装置。
【発明の詳細な説明】
【０００１】
【発明の属する技術分野】
本発明は、光ピックアップにより光ディスクに対してデータの記録及び再生を行うＣＤ−Ｒ／ＲＷ、ＤＶＤ＋Ｒ／ＲＷ等の追記型または書き換え型の光ディスク装置に関する。
【０００２】
【従来の技術】
従来より、光ディスク装置では、ＣＤ−Ｒ／ＲＷ、ＤＶＤ＋Ｒ／ＲＷなどの光ディスクに情報を記録する前に、記録レーザパワーの最適化（ＯＰＣ：Ｏｐｔｉｍｕｎ  Ｐｏｗｅｒ  Ｃｏｎｔｒｏｌ  ）を行っている。すなわち、前もってパワーキャリブレーションを実施して試し書きを行い、その後の記録に最適なレーザパワーを決定している。
【０００３】
ＯＰＣは、光ディスクのパワーキャリブレーションエリア（ＰＣＡ：Ｐｏｗｅｒ  Ｃａｌｉｂｒａｔｉｏｎ  Ａｒｅａ）に、記録レーザパワーの異なる情報を記録し、その記録した情報を再生することで行っている。
【０００４】
ＰＣＡは、図２に示すように、光ディスクの内周側であるリードイン領域の内側に、ＴＯＣ情報を一時的に保存しておくＰＭＡ（Ｐｒｏｇｒａｍ  Ｍｅｍｏｒｙ  Ａｒｅａ  ）が設けられており、このＰＭＡの内側に設けられている。
【０００５】
このＰＣＡは、カウントエリアとテストエリアに分けられており、それぞれのエリアに１００個までの情報が書き込めるようになっている。すなわち、１００回の試し書き（パワーキャリブレーション）が行えるようになっている。
【０００６】
カウントエリアには、テストエリアがどこまで使われているかを示す情報が書き込まれる。また、テストエリアは、１００個のパーテーションに分けられており、各パーテーションが１５フレームで構成されている。つまり、１回の試し書きでこの１５フレームが使用される。
【０００７】
試し書き用のレーザパワーは、「Ｌ」から「Ｈ」までの１５段階に設定されており、それぞれのレーザパワーで各フレームに情報が記録される。そして、これらの情報を再生することで、これらレーザパワーの中から、最適なレーザパワー値を決定するようになっている。
【０００８】
そして、このような種々の方法でパワーキャリブレーションを実施した結果得られたデータ、すなわち記録レーザパワーの最適値のデータは、その光ディスクに固有のコード（ディスク固有コード）とともに、従来、装置側に設けられているＥＥＰＲＯＭやフラッシュメモリ等のメモリ媒体に格納されていた（例えば、特許文献１、特許文献２参照）。
【０００９】
ＯＰＣは、新たな光ディスクを装置に装填して記録を行うたびに実施する必要があるため、メモリ媒体には、その都度、パワーキャリブレーションの実施結果、つまりその光ディスクに応じた記録レーザパワーの最適値のデータがディスク固有コードとともに格納されることになる。
【００１０】
【特許文献１】
特開２００１−２９７４３９号公報
【特許文献２】
特開平２００１−３０７３２７号公報
【００１１】
【発明が解決しようとする課題】
しかしながら、ＥＥＰＲＯＭやフラッシュメモリ等のメモリ媒体の容量には制限があるため、種々の光ディスクについて行ったパワーキャリブレーションの実施結果を全て格納することは不可能である。そのため、従来の装置では、例えばパワーキャリブレーションの実施結果を１０個まで格納し、１１個目の実施結果が入力されてきたときには、最も古いものを消去し、その後に新たに入力されたパワーキャリブレーションの実施結果を格納するようになっている。
【００１２】
そのため、格納できるパワーキャリブレーションの実施結果が制限されてしまうといった問題があった。また、例えば、以前に記録を行った光ディスクを再度装置に装填して記録を行おうとしたとき、メモリ媒体に格納されているはずの記録レーザパワー最適値のデータがすでに消去されていた場合には、その装填された光ディスクについて再度パワーキャリブレーションを実施する必要があるため、光ディスクのＰＣＡ領域を無駄に消費してしまうといった問題もあった。
【００１３】
本発明はかかる問題点を解決すべく創案されたもので、その目的は、光ディスクのＰＣＡ領域の無駄な消費を無くすとともに、パワーキャリブレーションの実施結果を格納するためのＥＥＰＲＯＭやフラッシュメモリ等のメモリ媒体を不要とした光ディスク装置を提供することにある。
【００１４】
【課題を解決するための手段】
本発明の光ディスク装置は、光ピックアップにより光ディスクに対してデータの記録及び再生を行うとともに、記録レーザパワーの最適化を行うパワーキャリブレーションの実施結果をメモリ媒体に格納するように構成された光ディスク装置において、前記メモリ媒体を省略するとともに、記録レーザパワーの最適化を行うパワーキャリブレーションの実施結果を、その実施された光ディスクのリードアウト領域に記録することを特徴とする。
【００１５】
通常、ＣＤ−Ｒ／ＲＷ等のＣＤ系光ディスク、またはＤＶＤ−Ｒ／ＲＷ、ＤＶＤ＋Ｒ／ＲＷ等のＤＶＤ系光ディスクは、光ディスク装置から取り出されるとき、記録領域の最外周を示すリードアウト領域が作成される。このリードアウト領域は、時間情報のみが書き込まれているに過ぎず、ほんとどが未使用領域となっている。
【００１６】
本発明では、この点に着目し、光ディスクがＣＤ系ディスクである場合には、パワーキャリブレーションの実施結果をリードアウト領域のサブコードに記録し、光ディスクがＤＶＤ系ディスクである場合には、パワーキャリブレーションの実施結果をリードアウト領域のコピーライト情報書き込み領域（ＣＰＲ−ＭＡＩ）に記録する。また、この場合、パワーキャリブレーションの実施結果の外に、ドライブのモデル名や製造番号なども併せて記録する。
【００１７】
これにより、光ディスク装置側にパワーキャリブレーションの実施結果を格納する必要がなくなる。つまり、パワーキャリブレーションの実施結果を格納するためのＥＥＰＲＯＭやフラッシュメモリ等のメモリ媒体を光ディスク装置から無くすことができる。
【００１８】
また、パワーキャリブレーションの実施結果を光ディスク装置側で持つ必要がないため、従来のように、ＥＥＰＲＯＭやフラッシュメモリ等のメモリ媒体の容量によって、パワーキャリブレーションの実施結果を格納する数が例えば１０個等に制限されるといったことがない。
【００１９】
さらに、パワーキャリブレーションの実施結果を光ディスク自体に記録するので、同じ光ディスク装置によって何度もパワーキャリブレーションが実施されるといったことがなく、光ディスクのＰＣＡ領域の無駄な消費を無くすとができる
【００２０】
また、記録時には、リードアウト領域に記録されているパワーキャリブレーションの実施結果を読み出して装置内のバッファメモリに一旦格納し、その格納された実施結果に基づいて記録レーザパワーを決定する。
【００２１】
【発明の実施の形態】
以下、本発明の実施の形態について、図面を参照して説明する。
図１は、本発明の光ディスク装置のシステム構成図を示している。
【００２２】
光ディスク１にデータを書き込むとともに、書き込んだデータを読み取る光ピックアップ３の出力は、ＲＦアンプ５を介してディジタル信号処理回路７に接続されており、ディジタル信号処理回路７の出力は、光ピックアップ３によるデータの書き込み時及び読み出し時のレーザ出力を制御するレーザドライバ８に接続されている。また、サーボ処理回路９の出力は、光ピックアップ３を光ディスク１の半径方向に移動させるためのフィードモータ４と光ディスク１を回転駆動するスピンドルモータ２とに接続されており、これらディジタル信号処理回路７及びサーボ処理回路９は、装置全体を制御するシステムコントローラ１０と双方向に接続されている。
【００２３】
また、ディジタル信号処理回路７には、光ディスク１から実際に読み取ったデータを一時的に蓄積するバッファとしてのＳＲＡＭ６が双方向に接続されている。また、システムコントローラ１０及びディジタル信号処理回路７には、図示しない上位のホストコンピュータとの接続を行うためのインターフェイスコントローラ（Ｉ／Ｆコントローラ）１２が双方向に接続された構成となっている。
【００２４】
なお、従来の光ディスク装置では、図中破線で示すように、パワーキャリブレーションの実施結果である記録レーザパワーの最適値のデータを格納しておくための例えばＥＥＰＲＯＭ（フラッシュメモリ等でもよい）１１がシステムコントローラ１０に接続されていたが、本発明の光ディスク装置では、このＥＥＰＲＯＭ１１等の記録媒体が削除された構成となっている。
【００２５】
ディジタル信号処理回路７は、ＥＦＭ変調及び復調や、ＣＩＲＣ（Ｃｒｏｓｓ  Ｉｎｔｅｒｌｅａｖｅｄ  Ｒｅｅｄ−Ｓｏｌｏｍｏｎ  Ｃｏｄｅ  ）による誤り訂正方式に従って、１６ビットの信号を８ビットづつに区切り、その８ビットを１４ビットに変換するといった処理等を行う。
【００２６】
システムコントローラ１０は、装填された光ディスク１への情報の記録に先立ち、記録レーザパワーの最適化を行うパワーキャリブレーションを実施する。そして、その実施結果（すなわち、記録レーザパワーの最適値の情報：ＯＰＣ情報）を、ＲＩＤコード（光ディスク装置の固有コード）とともに、光ディスク１のリードアウト領域（図２参照）に記録する。そして、その後に実施される情報の記録時には、リードアウト領域に記録されているＯＰＣ情報を読み出して装置内のバッファメモリであるＳＲＡＭ６に一旦格納し、その格納されたＯＰＣ情報に基づいて、記録レーザパワーを決定する。
【００２７】
ここで、光ディスク１がＣＤ−Ｒ／ＲＷ等のＣＤ系光ディスクである場合には、ＯＰＣ情報をリードアウト領域のサブコードに記録し、光ディスク１がＤＶＤ−Ｒ／ＲＷ、ＤＶＤ＋Ｒ／ＲＷ等のＤＶＤ系光ディスクである場合には、ＯＰＣ情報をリードアウト領域のコピーライト情報書き込み領域（ＣＰＲ−ＭＡＩ）に記録する。また、この場合、ＯＰＣ情報の外に、ドライブのモデル名や製造番号なども併せて記録する。
【００２８】
図３及び図４は、光ディスク１がＣＤ−Ｒ／ＲＷである場合に、リードアウト領域のサブコードに記録されるＯＰＣ情報の一例を示しており、図３（ａ）はＣＤ−Ｒの場合のレーザパワーの記録レベル、図３（ｂ）はＣＤ−ＲＷの場合のレーザパワーの記録レベル、図４は、記録されるＯＰＣ情報のデータ構成例を示している。
【００２９】
なお、図３及び図４に示すＯＰＣ情報のデータ構成例はＣＤの規格に従って決められたデータ構成であるので、ここでは詳細な説明を省略するが、本実施形態では、ＯＰＣ情報に外に、ドライブモデル名と製造番号も併せて記録するようにしている。
【００３０】
また、図５ないし図７は、光ディスク１がＤＶＤ＋Ｒ／ＲＷである場合に、リードアウト領域のＣＰＲ−ＭＡＩに記録されるＯＰＣ情報の一例を示しており、図５（ａ）はＤＶＤ＋ＲＷの場合のパワー系ＯＰＣ情報、図５（ｂ）はＤＶＤ＋ＲＷの場合のタイミング系ＯＰＣ情報、図６（ａ）はＤＶＤ＋Ｒの場合のパワー系ＯＰＣ情報、図６（ｂ）はＤＶＤ＋Ｒの場合のタイミング系ＯＰＣ情報、図７は、記録されるＯＰＣ情報のデータ構成例を示している。
【００３１】
なお、図５ないし図７に示すＯＰＣ情報のデータ構成例はＤＶＤの規格に従って決められたデータ構成であるので、ここでは詳細な説明を省略するが、本実施形態では、ＯＰＣ情報に外に、ドライブモデル名と製造番号も併せて記録するようにしている。
【００３２】
次に、上記構成の光ディスク装置において、装置本体内に光ディスク１を装填してから記録を開始するまでの一連の処理について、図８に示すフローチャートを参照して説明する。
【００３３】
システムコントローラ１０は、光ディスク１のローディング待ち状態となっている（ステップＳ１）。そして、この状態において光ディスク１が装置本体内にローディングされると、システムコントローラ１０は、まず光ディスク１のリードイン領域に書き込まれているＴＯＣ情報を読み込んで装置内のＳＲＡＭ６に保存するとともに（ステップＳ２）、リードアウト領域に書き込まれているＯＰＣ情報を読み込んで装置内のＳＲＡＭ６に保存する（ステップＳ３）。ただし、ＴＯＣ情報やＯＰＣ情報は、光ディスク１が未記録状態のディスクである場合には記録されていない。
【００３４】
この後、システムコントローラ１０は、ホストコンピュータからのコマンド待ち状態となる（ステップＳ４）。そして、ホストコンピュータからコマンドが入力されると、システムコントローラ１０では、その入力コマンドがイジェクト要求コマンドであるか否かを確認し（ステップＳ５）、イジェクト要求コマンドでない場合（ステップＳ５でＮｏと判断された場合）には、その入力コマンドが記録を要求する受信コマンドであるか否かを確認する（ステップＳ６）。
【００３５】
そして、記録を要求する受信コマンドである場合（ステップＳ６でＹｅｓと判断された場合）には、その時点で、ＳＲＡＭ６に保存したＯＰＣ情報を確認する（ステップＳ７）。
【００３６】
その結果、受信コマンドの要求する記録速度と同じ記録速度のＯＰＣ情報がある場合（ステップＳ７でＹｅｓと判断された場合）には、ＯＰＣを実行することなく、ＳＲＡＭ６に保存したＯＰＣ情報に基づいて、受信コマンドによる記録動作を実行する（ステップＳ１０）。
【００３７】
一方、受信コマンドの要求する記録速度と同じ記録速度のＯＰＣ情報が無い場合、または装填された光ディスク１が未記録であるためにリードアウト領域にＯＰＣ情報自体が記録されていなかった場合（ステップＳ７でＹｅｓと判断された場合）には、システムコントローラ１０は、直ちにＯＰＣ動作を実行し（ステップＳ８）、その実行結果であるＯＰＣ情報をＳＲＡＭ６に保存するとともに、リードアウト領域に記録する（ステップＳ９）。
【００３８】
この場合、リードアウト領域にすでに別のＯＰＣ情報が記録されている場合には、今回のＯＰＣ情報を追加記録することになる。つまり、実行されたＯＰＣ情報が、リードアウト領域に順次書き込まれて蓄積されていくことになる。そして、この実行したＯＰＣ情報に基づいて、受信コマンドによる記録動作を実行する（ステップＳ１０）。
【００３９】
また、コマンド受信待ち状態のときにイジェクト要求コマンドがきた場合（ステップＳ５でＹｅｓと判断された場合）には、イジェクト動作を行って光ディスク１をアンローディングする（ステップＳ１１）。
【００４０】
なお、上記実施形態では、ステップＳ８でＯＰＣ動作を実行したとき、その実行結果であるＯＰＣ情報をＳＲＡＭ６に保存するときに、併せてリードアウト領域にも記録するようにしているが（ステップＳ９）、ＯＰＣ情報のリードアウト領域への記録は、ステップＳ１１のイジェクト動作時に行うようにしてもよい。
【００４１】
【発明の効果】
本発明の光ディスク装置は、記録レーザパワーの最適化を行うパワーキャリブレーションの実施結果を、その実施された光ディスクのリードアウト領域に記録することを特徴としている。すなわち、光ディスクがＣＤ系ディスクである場合には、パワーキャリブレーションの実施結果をリードアウト領域のサブコードに記録し、光ディスクがＤＶＤ系ディスクである場合には、パワーキャリブレーションの実施結果をリードアウト領域のコピーライト情報書き込み領域（ＣＰＲ−ＭＡＩ）に記録する構成としている。すなわち、パワーキャリブレーションの実施結果を、ＲＩＤコードとともにリードアウト領域に記録することで、光ディスク装置側では、パワーキャリブレーションの実施結果を格納する必要がなくなるため、従来備えていたＥＥＰＲＯＭやフラッシュメモリ等のメモリ媒体を光ディスク装置から無くすことができる。
【００４２】
また、パワーキャリブレーションの実施結果を光ディスク装置側で持つ必要がないため、従来のように、ＥＥＰＲＯＭやフラッシュメモリ等のメモリ媒体の容量によって、パワーキャリブレーションの実施結果を格納する数が例えば１０個等に制限されるといったことがなくなる。
【００４３】
さらに、パワーキャリブレーションの実施結果を光ディスク自体に記録するので、同じ光ディスク装置によって何度もパワーキャリブレーションが実施されるといったことがなく、光ディスクのＰＣＡ領域の無駄な消費を無くすとができる。
【図面の簡単な説明】
【図１】本発明の光ディスク装置のシステム構成を示すブロック図である。
【図２】光ディスクのデータ記録レイアウトを示す説明図である。
【図３】光ディスクがＣＤ−Ｒ／ＲＷである場合のリードアウト領域のサブコードに記録されるＯＰＣ情報の一例を示す信号波形図である。
【図４】光ディスクがＣＤ−Ｒ／ＲＷである場合のリードアウト領域のサブコードに記録されるＯＰＣ情報のデータ構成例を示す説明図である。
【図５】光ディスクがＤＶＤ＋ＲＷである場合のリードアウト領域のＣＰＲ−ＭＡＩに記録されるパワー系ＯＰＣ情報及びタイミング系ＯＰＣ情報の一例を示す信号波形図である。
【図６】光ディスクがＤＶＤ＋Ｒである場合のリードアウト領域のＣＰＲ−ＭＡＩに記録されるパワー系ＯＰＣ情報及びタイミング系ＯＰＣ情報の一例を示す信号波形図である。
【図７】光ディスクがＤＶＤ＋Ｒ／ＲＷである場合のリードアウト領域のＣＰＲ−ＭＡＩに記録されるＯＰＣ情報のデータ構成例を示す説明図である。
【図８】光ディスクを装填してから記録を開始するまでの一連の処理を示すフローチャートである。
【符号の説明】
１  光ディスク
２  スピンドルモータ
３  光ピックアップ
４  フィードモータ
５  ＲＦアンプ
６  ＳＲＡＭ
７  ディジタル信号処理回路
８  レーザドライバ
９  サーボ処理回路
１０  システムコントローラ
１１  ＥＥＰＲＯＭ
１２  インターフェイスコントローラ（Ｉ／Ｆコントローラ）
【図１】
2004310855.tif 000003
【図２】
2004310855.tif 000004
【図３】
2004310855.tif 000005
【図４】
2004310855.tif 000006
【図５】
2004310855.tif 000007
【図６】
2004310855.tif 000008
【図７】
2004310855.tif 000009
【図８】
2004310855.tif 000010